(57)【要約】【課題】  多量のマイナスイオンを低コストで恒久的に発生させる健康器具を提供する。【解決手段】  マット部材１１の上面に接着剤１６を塗布し、その塗布面に原石を外径２０ｍｍ程の不定形の形状に加工したゲルマニウム鉱石１２と、同寸に加工したラジウム鉱石１３と、トルマリンと粘土を混合して球状に焼成した外径６ｍｍのトルマリン含有セラミック１４を所要の模様が形成されるように配置し、その上面に透明の合成樹脂層１７を被覆形成する。この健康マット１０を床面に敷くことで、各鉱石からマイナスイオンが多量に放出され、周辺環境の電磁波やプラスイオンによる影響を緩和するとともに空気を浄化し、また、人が健康マット１０上を通過する度に遠赤外線効果や温浴効果，足裏面への指圧効果も同時に発揮する。さらに、各鉱石は表面に合成樹脂層１７が形成されているから、鉱石の表面が摩耗したり削れた鉱石が飛散することがない。【選択図】          図１ 
0003117672.tif 000002
【実用新案登録請求の範囲】
【請求項１】
使用者の身体と接する部材の面にマイナスイオンを発生する鉱石を複数固着した、健康器具。
【請求項２】
鉱石がゲルマニウムである、請求項１記載の健康器具。
【請求項３】
鉱石がラジウムである、請求項１記載の健康器具。
【請求項４】
鉱石がトルマリンである、請求項１記載の健康器具。
【請求項５】
部材が床面に敷くマットであって、同マットの上側となる面に鉱石を固着して使用者の身体に直接触れるようにしたものである、請求項１〜４いずれか記載の健康器具。
【請求項６】
部材がネックレスのベルト部材であって、同ベルト部材の着用時の内側となる面に鉱石を固着して使用者の身体に直接触れるようにしたものである、請求項１〜４いずれか記載の健康器具。
【請求項７】
部材がブレスレットのベルト部材であって、同ベルト部材の着用時の内側となる面に鉱石を固着して使用者の身体に直接触れるようにしたものである、請求項１〜４いずれか記載の健康器具。
【請求項８】
部材が携帯電話のストラップであって、同ストラップに鉱石を固着したものである、請求項１〜４いずれか記載の健康器具。
【請求項９】
部材が腹巻きのベルト部材であって、同ベルト部材の着用時の内側となる面に鉱石を固着して使用者の身体に直接触れるようにしたものである、請求項１〜４いずれか記載の健康器具。
【請求項１０】
部材がクッション又は座蒲団であって、同クッション又は座蒲団の使用時の上側となる面に鉱石を固着して使用者の身体に直接触れるようにしたものである、請求項１〜４いずれか記載の健康器具。
【請求項１１】
鉱石の表面に透明の合成樹脂層を形成した、請求項１〜１０いずれか記載の健康器具。
【請求項１２】
トルマリンと粘土を混合して焼成したトルマリン含有セラミックを鉱石の固着面と同じ面に複数固着した、請求項１〜１１いずれか記載の健康器具。
【考案の詳細な説明】
【技術分野】
【０００１】
本考案は、マイナスイオンを放出して電磁波の軽減，空気の浄化，血行の促進を図る装身具やマット，ストラップ等の健康器具に関する。
【背景技術】
【０００２】
現代の社会において、テレビ，電子レンジ，パソコン，携帯電話等の電化製品は生活に必要不可欠なものとなっているが、それらから出る電磁波が人体に悪影響を与えることが問題となっている。電磁波による悪影響は、電子レンジからの漏洩電磁波による白内障の危険性，がんの発生率の上昇，頭痛，めまい，発熱，睡眠や学習能力の低下，手足のしびれ，麻痺，動悸呼吸の乱れ，疲労，集中力の低下，関節痛，肩こり，痛みなど様々に及んでいる。
【０００３】
これらの悪影響を軽減させるために、遠赤外線寝具（例えば特許文献１参照），マイナスイオン発生寝具（例えば特許文献２参照），テレビ・パソコン用ディスプレイ装置の貼付けシール（例えば特許文献３参照），電磁波カットエプロン（例えば特許文献４参照）等の様々な製品が提供されている。また、微量のマイナスイオンを発生させる原料を塗布又は噴霧，織り込んだシール型，カード型，寝具・マット型のマイナスイオン商品も提供されている。しかしながら、これらの商品が放出するマイナスイオンの量は極めて微量であり、電化製品が発生させる電磁波の悪影響を打ち消すには余りにも少な過ぎる問題があった。
【特許文献１】特開平８−１９１７４６号公報
【特許文献２】特開平９−５１８３９号公報
【特許文献３】特開２０００−６２０８２号公報
【特許文献４】特開平１０−８８４０９号公報
【考案の開示】
【考案が解決しようとする課題】
【０００４】
本考案が解決しようとする課題は、従来のこれらの問題点を解消し、静置状態で既存の技術より多量のマイナスイオンを低コストで恒久的に発生させる健康器具を提供することにある。
【課題を解決するための手段】
【０００５】
かかる課題を解決した本考案の構成は、
１）  使用者の身体と接する部材の面にマイナスイオンを発生する鉱石を複数固着した、健康器具
２）  鉱石がゲルマニウムである、前記１）記載の健康器具
３）  鉱石がラジウムである、前記１）記載の健康器具
４）  鉱石がトルマリンである、前記１）記載の健康器具
５）  部材が床面に敷くマットであって、同マットの上側となる面に鉱石を固着して使用者の身体に直接触れるようにしたものである、前記１）〜４）いずれか記載の健康器具
６）  部材がネックレスのベルト部材であって、同ベルト部材の着用時の内側となる面に鉱石を固着して使用者の身体に直接触れるようにしたものである、前記１）〜４）いずれか記載の健康器具
７）  部材がブレスレットのベルト部材であって、同ベルト部材の着用時の内側となる面に鉱石を固着して使用者の身体に直接触れるようにしたものである、前記１）〜４）いずれか記載の健康器具
８）  部材が携帯電話のストラップであって、同ストラップに鉱石を固着したものである、前記１）〜４）いずれか記載の健康器具
９）  部材が腹巻きのベルト部材であって、同ベルト部材の着用時の内側となる面に鉱石を固着して使用者の身体に直接触れるようにしたものである、前記１）〜４）いずれか記載の健康器具
１０）  部材がクッション又は座蒲団であって、同クッション又は座蒲団の使用時の上側となる面に鉱石を固着して使用者の身体に直接触れるようにしたものである、前記１）〜４）いずれか記載の健康器具
１１）  鉱石の表面に透明の合成樹脂層を形成した、前記１）〜１０）いずれか記載の健康器具
１２）  トルマリンと粘土を混合して焼成したトルマリン含有セラミックを鉱石の固着面と同じ面に複数固着した、前記１）〜１１）いずれか記載の健康器具
にある。
【考案の効果】
【０００６】
本考案によれば、鉱石が多量のマイナスイオンを発生させて電磁波やプラスイオンが与える人体への悪影響などに作用して緩和する。また、身体に着用するものは、遠赤外線効果や温浴効果，指圧効果等の様々な作用効果が得られ、その効果も恒久的に継続する。さらに、これらの鉱石は採掘して所要の大きさに加工したものであるから、金属を取り出して製錬したものと比較して低コストで実施できる。
【考案を実施するための最良の形態】
【０００７】
本考案では、鉱石の表面に透明の合成樹脂層を形成すると、鉱石の表面の摩耗を防止したり、使用者の肌面や衣服の傷付きを防止でき、美観も向上する。また、トルマリンと粘土を混合して焼成したトルマリン含有セラミックも同時に固着すると、マイナスイオンの放出量をより高めることができる。鉱石やトルマリン含有セラミックの外径は５〜２０ｍｍの範囲が一般的であるが、これに限定されるものではなく、用途やデザインに応じて任意の大きさに形成したり様々な大きさのものを組み合わせて用いられる。以下、本考案の各実施例を図面に基づいて具体的に説明する。
【実施例１】
【０００８】
図１に示す実施例１は、室内の床面に敷くマットに本考案を適用した例である。図１は実施例１の健康マットの説明図である。図中、１０は健康マット、１１はマット部材、１２はゲルマニウム鉱石、１３はラジウム鉱石、１４はトルマリン含有セラミック、１５は天然鉱石、１６は接着剤、１７は合成樹脂層である。
【０００９】
実施例１の健康マット１０は、図１に示すように長さ６００ｍｍ、幅２３０ｍｍのビニル製のマット部材１１の上面に接着剤１６を塗布し、その塗布面に原石を外径２０ｍｍ程の不定形の形状に加工したゲルマニウム鉱石１２と、同寸に加工したラジウム鉱石１３と、トルマリンと粘土を混合して球状に焼成した外径６ｍｍのトルマリン含有セラミック１４と、他の天然鉱石１５を所要の模様が形成されるように配置し、その上面に透明の合成樹脂層１７を被覆形成している。トルマリン含有セラミック１４は模様に応じて任意の着色剤を混合して着色してもよい。
【００１０】
この健康マット１０を床面に敷くことで、ゲルマニウム鉱石１２やラジウム鉱石１３，トルマリン含有セラミック１４からマイナスイオンが多量に放出され、周辺環境の電磁波やプラスイオンによる影響を緩和するとともに空気を浄化し、また、人が健康マット１０上を通過する度に遠赤外線効果や温浴効果，足裏面への指圧効果も同時に発揮する。さらに、ゲルマニウム鉱石１２やラジウム鉱石１３，トルマリン含有セラミック１４，天然鉱石１５は表面に合成樹脂層１７が形成されているから、表面が摩耗したり削れた鉱石が飛散することがない。
【実施例２】
【００１１】
図２に示す実施例２は、ネックレスに本考案を適用した例である。図２は実施例２の健康ネックレスの説明図である。図中、２０は健康ネックレス、２１はベルト部材、２２はゲルマニウム鉱石、２３はトルマリン含有セラミック、２４は接着剤、２５は合成樹脂層である。
【００１２】
実施例２の健康ネックレス２０は、図２に示すように長さ５５０ｍｍ、幅３０ｍｍの皮製のベルト部材２１の内面に接着剤２４を塗布し、その塗布面に原石を外径１５ｍｍ程の不定形の形状に加工したゲルマニウム鉱石２２と、トルマリンと粘土を混合して外径６ｍｍの球状に焼成したトルマリン含有セラミック２３を所要の模様が形成されるように配置し、その上面に透明の合成樹脂層２５を被覆形成している。トルマリン含有セラミック２３は模様に応じて任意に着色剤を混合して着色してもよい。
【００１３】
この健康ネックレス２０を首に巻いて着用することで、ゲルマニウム鉱石２２やトルマリン含有セラミック２３からマイナスイオンが多量に放出され、着用者の電磁波やプラスイオンによる悪影響を緩和するとともに着用者の周辺の空気を浄化し、また、着用者の肌面に直接触れるから遠赤外線効果や温浴効果，首周りへの指圧効果も同時に発揮する。さらに、ゲルマニウム鉱石２２やトルマリン含有セラミック２３は表面に合成樹脂層２５が形成されているから、形成面が滑らかになっており着用者の肌面を傷付けることがなく着用感に優れる。
【実施例３】
【００１４】
図３に示す実施例３は、ブレスレットに本考案を適用した例である。図３は実施例３の健康ブレスレットの説明図である。図中、３０は健康ブレスレット、３１はベルト部材、３２はゲルマニウム鉱石、３３はトルマリン含有セラミック、３４は接着剤、３５は合成樹脂層である。
【００１５】
実施例３の健康ブレスレット３０は、図３に示すように長さ２１０ｍｍ、幅３０ｍｍの皮製のベルト部材３１の内面に接着剤３４を塗布し、その塗布面に原石を外径２０ｍｍ程の不定形の形状に加工したゲルマニウム鉱石３２と、トルマリンと粘土を混合して外径６ｍｍの球状に焼成したトルマリン含有セラミック３３を所要の模様が形成されるように配置し、その上面に透明の合成樹脂層３５を被覆形成している。トルマリン含有セラミック３３は模様に応じて任意に着色剤を混合して着色してもよい。
【００１６】
この健康ブレスレット３０を手首に巻いて着用することで、ゲルマニウム鉱石３２やトルマリン含有セラミック３３からマイナスイオンが多量に放出され、着用者の電磁波やプラスイオンによる悪影響を緩和するとともに着用者の周辺の空気を浄化し、また、着用者の肌面に直接触れるから遠赤外線効果や温浴効果，手首周りへの指圧効果も同時に発揮する。さらに、ゲルマニウム鉱石３２やトルマリン含有セラミック３３の表面に合成樹脂層３５が形成されているから、形成面が滑らかになっており着用者の肌面を傷付けることがなく着用感に優れる。
【実施例４】
【００１７】
図４に示す実施例４は、携帯電話のストラップに本考案を適用した例である。図４は実施例の健康ストラップの説明図である。図中、４０は健康ストラップ、４１はバンド部材、４２はゲルマニウム鉱石、４３はトルマリン含有セラミック、４４は接着剤、４５は合成樹脂層、４６は携帯電話である。
【００１８】
実施例４の健康ストラップ４０は、図４に示すように長さ１００ｍｍの合成皮革のバンド部材４１の内面に接着剤４４を塗布し、その塗布面に原石を外径１０ｍｍ程の不定形の形状に加工したゲルマニウム鉱石４２と、トルマリンと粘土を混合して外径６ｍｍの球状に焼成したトルマリン含有セラミック４３を所要の順序で配置し、その上面に透明の合成樹脂層４５を被覆形成している。トルマリン含有セラミック４３は任意に着色剤を混合して着色してもよい。
【００１９】
この健康ストラップ４０を携帯電話４６に取り付けて手首に着用して通話等に使用することで、ゲルマニウム鉱石４２やトルマリン含有セラミック４３からマイナスイオンが多量に放出され、携帯電話４６から出る電磁波や周辺のプラスイオンによる悪影響を緩和するとともに使用者の周辺の空気を浄化し、また、使用者の肌面に直接触れるから遠赤外線効果や温浴効果，手首周りへの指圧効果も同時に発揮する。さらに、ゲルマニウム鉱石４２やトルマリン含有セラミック４３の表面に合成樹脂層４５が形成されているから、形成面が滑らかになっており使用者の肌面を傷付けることがなく使用感に優れる。
【実施例５】
【００２０】
図５に示す実施例５は、腹巻きに本考案を適用した例である。図５は実施例５の健康腹巻きの説明図である、図中、５０は健康腹巻き、５１はベルト部材、５２はゲルマニウム鉱石、５３はラジウム鉱石、５４はトルマリン含有セラミック、５５は天然鉱石、５６は接着剤、５７は合成樹脂層である。
【００２１】
実施例５の健康腹巻き５０は、図５に示すように長さ９３０ｍｍの布製のベルト部材５１の内面に接着剤５６を塗布し、その塗布面に原石を外径２０ｍｍ程の不定形の形状に加工したゲルマニウム鉱石５２と、同寸に加工したラジウム鉱石５３と、トルマリンと粘土を混合して外径６ｍｍの球状に焼成したトルマリン含有セラミック５４と、他の天然鉱石５５を所要の模様が形成されるように配置し、その上面に透明の合成樹脂層５７を被覆形成している。トルマリン含有セラミック５４は模様に応じて任意に着色剤を混合して着色してもよい。
【００２２】
この健康腹巻き５０を腹に巻いて着用することで、ゲルマニウム鉱石５２やラジウム鉱石５３，トルマリン含有セラミック５４からマイナスイオンが多量に放出され、着用者の電磁波やプラスイオンによる悪影響を緩和するとともに空気を浄化し、また、着用者の身体に直接触れるから遠赤外線効果や温浴効果，腹周りへの指圧効果も同時に発揮する。さらに、ゲルマニウム鉱石５２やラジウム鉱石５３，トルマリン含有セラミック５４，天然鉱石５５の表面に合成樹脂層５７が形成されているから、形成面が滑らかになっており着用者の肌面や肌着を傷付けることがなく着用感に優れる。
【実施例６】
【００２３】
図６に示す実施例６は、座蒲団に本考案を適用した例である。図６は実施例６の健康座蒲団の説明図である。図中、６０は健康座蒲団、６１は座蒲団本体、６２はゲルマニウム鉱石、６３はラジウム鉱石、６４はトルマリン含有セラミック、６５は天然鉱石、６６は接着剤、６７は合成樹脂層、６８はクッションである。
【００２４】
実施例６の健康座蒲団６０は、図６に示すように縦横４４０ｍｍの座蒲団本体６１の上面に接着剤６６を塗布し、その塗布面に原石を外径２０ｍｍ程の不定形の形状に加工したゲルマニウム鉱石６２と、同寸に加工したラジウム鉱石６３と、トルマリンと粘土を混合して外径６ｍｍの球状に焼成したトルマリン含有セラミック６４と、他の天然鉱石６５を所要の模様が形成されるように配置し、その上面に透明の合成樹脂層６７を被覆形成している。トルマリン含有セラミック６４は模様に応じて任意に着色剤を混合して着色してもよい。
【００２５】
この健康座蒲団６０を部屋の床面や自動車のシートの床面に敷いて使用することで、ゲルマニウム鉱石６２やラジウム鉱石６３，トルマリン含有セラミック６４からマイナスイオンが多量に放出され、使用者の電磁波やプラスイオンによる悪影響を緩和するとともに空気を浄化し、また、使用者の身体に直接触れるから遠赤外線効果や温浴効果，下半身への指圧効果も同時に発揮する。さらに、ゲルマニウム鉱石６２やラジウム鉱石６３，トルマリン含有セラミック６４，天然鉱石６５の表面に合成樹脂層６７が形成されているから、形成面が滑らかになっており使用者の身体や衣服，クッション６８を傷付けることがなく使用感に優れる。
【産業上の利用可能性】
【００２６】
本考案の健康器具は一般家庭用として利用される。
【図面の簡単な説明】
【００２７】
【図１】実施例１の健康マットの説明図である。
【図２】実施例２の健康ネックレスの説明図である。
【図３】実施例３の健康ブレスレットの説明図である。
【図４】実施例４の健康ストラップの説明図である。
【図５】実施例５の健康腹巻きの説明図である。
【図６】実施例６の健康座蒲団の説明図である。
【符号の説明】
【００２８】
１０  健康マット
１１  マット部材
１２  ゲルマニウム鉱石
１３  ラジウム鉱石
１４  トルマリン含有セラミック
１５  天然鉱石
１６  接着剤
１７  合成樹脂層
２０  健康ネックレス
２１  ベルト部材
２２  ゲルマニウム鉱石
２３  トルマリン含有セラミック
２４  接着剤
２５  合成樹脂層
３０  健康ブレスレット
３１  ベルト部材
３２  ゲルマニウム鉱石
３３  トルマリン含有セラミック
３４  接着剤
３５  合成樹脂層
４０  健康ストラップ
４１  バンド部材
４２  ゲルマニウム鉱石
４３  トルマリン含有セラミック
４４  接着剤
４５  合成樹脂層
４６  携帯電話
５０  健康腹巻き
５１  ベルト部材
５２  ゲルマニウム鉱石
５３  ラジウム鉱石
５４  トルマリン含有セラミック
５５  天然鉱石
５６  接着剤
５７  合成樹脂層
６０  健康座蒲団
６１  座蒲団本体
６２  ゲルマニウム鉱石
６３  ラジウム鉱石
６４  トルマリン含有セラミック
６５  天然鉱石
６６  接着剤
６７  合成樹脂層
６８  クッション
【図１】
0003117672.tif 000003
【図２】
0003117672.tif 000004
【図３】
0003117672.tif 000005
【図４】
0003117672.tif 000006
【図５】
0003117672.tif 000007
【図６】
0003117672.tif 000008